(57)【特許請求の範囲】
【請求項１】
リール本体に回転可能に支持されたハンドルの回転操作で回転するロータと、前記ロータに設けられ、釣糸が巻回されるスプールに釣糸を案内するラインローラを具備した釣糸案内装置と、を有し、
前記ラインローラをラインスライダの支持部との間で一対のボールベアリングによって回転可能に支持し、前記ラインローラと前記一対のボールベアリングとの間に、軸方向中間部で分割され、一端側に径方向内側に突出する環状突部が、他端側に径方向外側に突出するフランジがそれぞれ形成された磁性カラーを配設すると共に、前記一対のボールベアリングの軸方向両側で各ボールベアリングをシールする磁気シール機構を配設した魚釣用スピニングリールであって、
前記分割された磁性カラーは、前記ラインローラの両側から嵌入されて前記それぞれのフランジがラインローラの端面に当て付けられており、
前記一対のボールベアリングは、前記分割された磁性カラーの各一端側に形成された環状突部に対して軸方向両側から当て付けられると共に、前記軸方向両側に配設される磁気シール機構との間でワッシャを介在させた状態で位置決めされており、
前記各ボールベアリングをシールする磁気シール機構は、前記分割された磁性カラーの各内面に対して環状に所定の隙間を存して配置される磁石と、前記磁石を挟持して保持する保持部材と、前記環状の所定の隙間内に保持される磁性流体と、を有し、
前記一対のボールベアリング、軸方向両側に配設される磁気シール機構、及びラインローラは、前記ラインスライダの支持部に嵌入される管状体の外周に配置されることでユニット化されており、
前記ボールベアリングと反対側の方向にある保持部材の外側に、前記ボールベアリングの内輪側に与圧を付与可能でシール機能を有する弾性部材を配置したことを特徴とする魚釣用スピニングリール。
【請求項２】
前記ラインローラ又は磁性カラーに、磁性流体の溜まり部を形成したことを特徴とする請求項１に記載の魚釣用スピニングリール。
【発明の詳細な説明】
【技術分野】
【０００１】
本発明は、釣糸案内装置のラインローラの支持構造に特徴を有する魚釣用スピニングリールに関する。
【背景技術】
【０００２】
通常、魚釣用スピニングリールは、回転駆動されるロータの支持アームに設けた釣糸案内装置を介して、釣糸をスプールに巻回する構成となっている。釣糸案内装置は、釣糸を案内する回転可能なラインローラを備えており、ラインローラは、支持アームに回動可能に支持された支持部材に対してボールベアリングによって回転可能に支持されている。
【０００３】
ところで、釣糸を巻き取り操作すると、釣糸には、海水や、場合によってはゴミが付着していることがあり、ラインローラを回転可能に支持するボールベアリングには、そのような釣糸から伝わった海水やゴミが特に入りやすい。そして、ボールベアリング部分に微量でさえ異物が入ると、回転時の異音及び回転抵抗の原因となったり、更には、ボールベアリングの腐食、回転性能の低下の原因となる。
【０００４】
上記した問題を解決するために、例えば、特許文献１には、一対のボールベアリングの外側に、ゴム系材料をシール材とすることが開示されている。また、例えば、特許文献２には、駆動軸の回転性能を低下させることなく、ボールベアリングの防水・防塵を図る構造として、磁気回路を構成する磁気保持リングとスプール軸（駆動軸）との間に磁性流体を保持してボールベアリングをシールしたものが知られている。
【先行技術文献】
【特許文献】
【０００５】
【特許文献１】特開２００２−１９１２６９号
【特許文献２】特開２００３−３１９７４２号
【発明の概要】
【発明が解決しようとする課題】
【０００６】
しかし、上記した特許文献１に開示されているようなゴム系材料をシール材とした方式では、ラインローラに対する摩擦力が大きくなることから、回転抵抗が大きくなってしまう。また、長期間の使用によってシール材が磨耗するため、定期的なメンテナンスが必要となってしまう。さらに、シール材が磨耗する可能性があるため、ボールベアリングについては防錆性の高いものを用いる必要があり、高価になってしまう。
【０００７】
この点、特許文献２に開示されているような磁性流体を保持してシールする方式は、上記のような問題を解決できるものの、ラインローラのような小さい部分で高速回転し、かつ釣糸から伝わった海水やゴミが特に入りやすい部分に適用するのは難しい。すなわち、そのような小さい部分では、特許文献２に開示されているような構造の磁気シール機構を釣糸案内装置として組み込むことは困難であり、生産性に劣るという問題がある。
【０００８】
本発明は、上記した問題に着目してなされたものであり、釣糸案内装置のラインローラを支持したボールベアリングをシールするに際し、組込性が良く、ラインローラの回転性能を低下させることのない磁気シール機構を備えた魚釣用スピニングリールを提供することを目的とする。
【課題を解決するための手段】
【０００９】
上記した目的を達成するために、本発明は、リール本体に回転可能に支持されたハンドルの回転操作で回転するロータと、前記ロータに設けられ、釣糸が巻回されるスプールに釣糸を案内するラインローラを具備した釣糸案内装置と、を有し、前記ラインローラをラインスライダの支持部との間で一対のボールベアリングによって回転可能に支持し、前記ラインローラと前記一対のボールベアリングとの間に、軸方向中間部で分割され、一端側に径方向内側に突出する環状突部が、他端側に径方向外側に突出するフランジがそれぞれ形成された磁性カラーを配設すると共に、前記一対のボールベアリングの軸方向両側で各ボールベアリングをシールする磁気シール機構を配設した魚釣用スピニングリールであって、前記分割された磁性カラーは、前記ラインローラの両側から嵌入されて前記それぞれのフランジがラインローラの端面に当て付けられており、前記一対のボールベアリングは、前記分割された磁性カラーの各一端側に形成された環状突部に対して軸方向両側から当て付けられると共に、前記軸方向両側に配設される磁気シール機構との間でワッシャを介在させた状態で位置決めされており、前記各ボールベアリングをシールする磁気シール機構は、前記分割された磁性カラーの各内面に対して環状に所定の隙間を存して配置される磁石と、前記磁石を挟持して保持する保持部材と、前記環状の所定の隙間内に保持される磁性流体と、を有し、前記一対のボールベアリング、軸方向両側に配設される磁気シール機構、及びラインローラは、前記ラインスライダの支持部に嵌入される管状体の外周に配置されることでユニット化されており、前記ボールベアリングと反対側の方向にある保持部材の外側に、前記ボールベアリングの内輪側に与圧を付与可能でシール機能を有する弾性部材を配置したことを特徴とする。
【００１０】
上記した魚釣用スピニングリールの構成によれば、釣糸案内装置のラインローラ部分に磁気シール機構を用いたことで、ラインローラに対する摩擦抵抗が軽減し、回転性能の向上が図れると共に、長期間使用しても、防水、防塵性が低下することがなくなる。また、ラインローラの支持部の径方向外側で、磁気シール機構を構成する磁石、前記保持部材、及び前記磁性部によって磁気回路を形成して磁性流体を保持しており、ラインローラ側では保持部材や磁石を保持していないことから、ラインローラの回転性を低下させることもない。さらに、釣糸案内装置としてラインローラ部分を支持部に組込む際、あらかじめラインローラ側の所定の位置に磁性流体を充填しておくことが可能となるため、組込性が容易になる。
【発明の効果】
【００１１】
本発明によれば、釣糸案内装置のラインローラを支持したボールベアリングをシールするに際し、組込性が良く、ラインローラの回転性能を低下させることのない磁気シール機構を備えた魚釣用スピニングリールが得られる。
【図面の簡単な説明】
【００１２】
【図１】本発明に係る魚釣用スピニングリールの第１の実施形態を示す図。
【図２】図１に示す魚釣用スピニングリールの釣糸案内装置の構成を示す。
【図３】図２に示す釣糸案内装置の主要部の拡大図。
【図４】本発明の第２の実施形態を示す図であり、釣糸案内装置の構成を示す図。
【図５】図４に示す釣糸案内装置の主要部の拡大図。
【図６】本発明の第３の実施形態を示す図であり、釣糸案内装置の構成を示す図。
【図７】図６に示す釣糸案内装置の主要部の拡大図。
【図８】図６に示す釣糸案内装置の分解図。
【発明を実施するための形態】
【００１３】
以下、図面を参照しながら本発明に係る魚釣用リールの実施形態について説明する。  
図１から図３は、本発明に係る魚釣用スピニングリールの第１の実施形態を示す図であり、図１は全体構成を示す図、図２は図１に示す魚釣用スピニングリールの釣糸案内装置の構成を示す、そして、図３は図２に示す釣糸案内装置の主要部の拡大図である。
【００１４】
魚釣用スピニングリールのリール本体１には、釣竿Ｒに装着される脚部１Ａが形成されている。前記リール本体内には、ハンドル軸が軸受を介して回転可能に支持されており、ハンドル軸の端部には、巻き取り操作されるハンドル３が装着されている。また、前記ハンドル軸には、公知の駆動力伝達機構が連結されており、ハンドル３の回転操作に伴ってロータ５を回転駆動すると共に、公知のオシレーティング機構を介して、スプール７を前後動させるようになっている。
【００１５】
前記ロータ５には、一対の支持アーム５ａが軸方向に延出して対向するように形成されており、各支持アーム５ａの先端には、夫々、ベール支持部材９を介して、ベール１０が釣糸放出状態と釣糸巻回状態に回動可能に支持されている。そして、一方のベール支持部材９とベール１０の端部との間には、釣糸案内装置２０が支持されている。
【００１６】
上記した構成において、ハンドル３を回転操作すると、駆動力伝達機構を介してロータ５が回転駆動され、オシレーティング機構を介してスプール７が前後動される。これにより、釣糸は、釣糸案内装置２０を介してスプール５に片寄ること無く均等に巻回される。
【００１７】
図２に示すように、本実施形態の釣糸案内装置２０は、一方のベール支持部材９にネジ２１によって取り付けられており、このネジ２１が螺入されるよう軸方向に延出する支持部２３を備えている。この場合、前記支持部２３は、ベール１０の基端から釣糸を案内するように連続形成されたラインスライダ１０Ａと一体化されており、軸方向に延出する袋ナットとして構成されている。なお、支持部２３には、ラインスライダ側に支持部よりも大径となる段部２３ａが形成されており、また、ラインスライダ１０Ａには、ベール支持部材９側に開口する凹所１０ａが形成されている。
【００１８】
前記釣糸案内装置２０は、支持部２３に対して回転可能に支持され、中空の略筒体形状を有するラインローラ２５と、ラインローラ２５と支持部２３との間に介在されるボールベアリング２７とを備えている。この場合、ボールベアリング２７は、軸方向に所定の間隔をおいて一対設けられており、これらはラインローラ２５の中央部内周に形成された環状突部２５ａに対して軸方向両側から当て付いた状態で位置決めされている。また、前記ベール支持部材９には、ラインスライダ１０Ａ側に開口する凹所９ａと、前記凹所９ａの中央に円筒突起９ｂが形成されており、前記円筒突起９ｂ内に支持部２３が嵌入され、その底部９ｃに当て付くことで、釣糸案内装置２０は、ベールのラインスライダ１０Ａとベール支持部材９との間で挟持、固定されている。
【００１９】
前記ラインローラ２５の軸方向両側は、前記ラインスライダ１０Ａの凹所１０ａと、前記ベール支持部材９の凹所９ａ内に配置されており、その外周部分が覆われた状態となっている。そして、各ボールベアリング２７の軸方向両側には、隣接して磁気シール機構３０が配設されており、各ボールベアリング２７をシールしている。
【００２０】
以下、磁気シール機構３０の構成について説明する。なお、それぞれのボールベアリング２７に隣接して配設される磁気シール機構は、共に同一の構造となっているため、同一の構成要素については同一の参照符号を付してある。  
磁気シール機構３０は、前記ラインローラ２５に形成された環状突部２５ａによって位置決めされているボールベアリング２７の軸方向外側にワッシャ２９を介在させて配設される。本実施形態では、前記ラインローラ２５は磁性材料によって形成されており、磁気シール機構３０は、ラインローラ２５の内面との間に磁気回路を形成し、ラインローラ２５の内面との間に磁性流体を保持することによりボールベアリング２７をシールする。すなわち、ラインローラそのものが、支持部２３に対して径方向外側に磁気シール機構の磁気回路を形成する磁性部を構成している。
【００２１】
具体的に、磁気シール機構３０は、ラインローラ２５の内面に対して、環状に所定の隙間Ｇを存して配置される磁石３１と、磁石３１を挟持して保持する保持部材（磁性体で構成される極板）３２ａ，３２ｂとを有しており、これにより、磁石３１と両極板３２ａ，３２ｂとラインローラ２５との間で磁気回路を形成する。そして、このように形成される磁気回路には、保持部材３２ａ，３２ｂとラインローラ２５の内面との間の隙間Ｇに磁性流体３５が充填される。この場合、磁性流体３５は、例えば、Ｆｅ３Ｏ４のような磁性微粒子を、界面活性剤およびベースオイルに分散させて構成されたものであり、粘性があって磁石を近づけると反応する特性を備えている。このため、磁性流体３５は、図３に示されるように、前記磁気回路によって、各保持部材３２ａ，３２ｂとラインローラ２５の内面との間の隙間Ｇに安定して保持され、ボールベアリング２７をシールする。
【００２２】
なお、上述した構成において、前記磁石３１は、全周に亘って磁気回路を形成し、磁性流体を保持できる構成であれば良く、例えば、リング状に形成されたもの、或いは、周方向に沿って分割して配置されたもの等、種々の形態で構成することが可能である。また、保持部材３２ａ，３２ｂについては、磁石３１を挟持して保持するものであれば良く、例えば、図に示す実施形態のように、軸方向に独立して形成されたもの、或いは、略Ｕ字状となって一体化されたものであっても良い。以下、本実施形態においては、磁石については、リング状の磁石３１とし、保持部材については、磁石を独立して挟持、保持する一対の保持部材３２ａ，３２ｂとする。
【００２３】
また、本実施形態では、ボールベアリング２７と反対側の方向にある保持部材３２ａの外側に弾性部材（エラストマー等によって構成される）３７が配置されている。前記弾性部材３７は、ラインスライダ側においては、保持部材３２ａと前記支持部２３の段部２３ａとの間に介在され、ベール支持部材側においては、保持部材３２ａと前記ベール支持部材の円筒突起９ｂとの間に介在され、これにより、支持部２３側からの海水などの浸入をシールするようにしている。
【００２４】
この場合、前記弾性部材３７は、ボールベアリング２７の内輪側に対して与圧を付与可する機能を兼ね備えており、これにより、ボールベアリング２７の内輪と外輪には、図３の矢印で示すような与圧がかかることから、ボール部分が良好な状態で保持され、異音の発生や振動の発生を抑制することが可能となる。
【００２５】
以上のように構成される磁気シール機構３０によれば、上記した磁気回路によって保持される磁性流体３５により、釣糸案内装置２０を構成するボールベアリング２７が効果的且つ確実にシールされるようになる。特に、釣糸に付着して侵入しやすい水分やゴミ等を確実にシールすることができ、ボールベアリング２７の回転時に抵抗が生じたり、異音が発生することもなく、常に安定したラインローラ２５の回転性能を得ることが可能となる。また、ラインローラ２５に接触するのは、従来のような弾性を有するシール部材ではなく、磁性流体部分となることから、ラインローラ２５に対する摩擦抵抗が軽減し、回転性能の向上が図れると共に、長期間使用しても、防水、防塵性が低下することもない。
【００２６】
さらに、磁気シール機構３０を構成するリング状の磁石３１、一対の保持部材３２ａ，３２ｂは、支持部２３側に設置されているため、回転するラインローラが重量化することはなく、ラインローラの回転性を低下させることはない。特に、ラインローラを磁性材料で形成したことで、部品点数の削減が図れるようになる。また、ラインローラ２５に予め磁気シール機構３０を設置した状態で、支持部２３に対して組み込むことが可能となるため、生産性の向上が図れるようになる。
【００２７】
図４及び図５は、本発明の第２の実施形態を示す図であり、図４は釣糸案内装置の構成を示す図、図５は図４に示す釣糸案内装置の主要部の拡大図である。
【００２８】
本実施形態では、ラインローラ２５とボールベアリング２７との間に、ラインローラとは別体の磁性カラー４０を設けている。磁性カラー４０は、磁気回路を形成する磁性部として機能するものであり、ラインローラ２５の内面に対して接着剤等によって固定され、その中央部分には、一対のボールベアリング２７が両側の開口から挿入された際に、位置決めされて当て付くように環状突部４０ａが形成されている。
【００２９】
このような構成によれば、磁性カラー４０によって磁気回路を形成することができるため、軽量化、耐腐食性などを考慮して、ラインローラ２５に最適な材料を用いることが可能となる。すなわち、上記した実施形態では、ラインローラ２５を磁性材料で形成する必要があったが、本実施形態では、例えば、ラインローラを非磁性材料である真鍮やアルミ合金によって形成することが可能となり、材料の選択の範囲が広がる。
【００３０】
図６から図８は、本発明の第３の実施形態を示す図であり、図６は釣糸案内装置の構成を示す図、図７は図６に示す釣糸案内装置の主要部の拡大図、そして、図８は図６に示す釣糸案内装置の分解図である。
【００３１】
本実施形態の釣糸案内装置２０Ａはユニット化された構成となっている。具体的には、図８に示すように、上記した実施形態におけるラインスライダ１０Ａに一体形成される支持部２３を、別体として管状体２３Ａとして構成しておき、この管状体２３Ａの外周に、上述した実施形態の一対のボールベアリング２７、磁気シール機構３０、及びラインローラ２５を配置してユニット化している。  
以下、ユニット構造について具体的に説明する。
【００３２】
ラインローラ２５とボールベアリング２７との間に介在される磁性カラー４０Ａについては、図に示すように軸方向の中間部で分割することが可能であり、分割された各磁性カラーには、一端側に径方向内側に突出する環状突部４０ｂが形成され、他端側に径方向外側に突出するフランジ部４０ｃが形成されている。このため、ラインローラ２５の両側開口から、磁性カラー４０Ａを嵌入し、両フランジ４０ｃをラインローラの端面に当て付けることで、磁性カラー４０Ａをラインローラにセットすることが可能となる（接着材によって接着しても良いし、圧入して固定しても良い）。この場合、フランジ４０ｃとラインローラ２５の端面との間にシール材４６を介在させておくことが望ましい。
【００３３】
そして、このように、ラインローラ２５に対して磁性カラー４０Ａを嵌入した状態で、両側の開口から管状体２３Ａと共にボールベアリング２７を挿入して環状突部４０ｂに当て付けて位置決めをし、ワッシャ２９を介在させて上記した磁気シール機構３０を組み込む。また、磁気シール機構３０の外側には、上記した弾性部材３７を圧入、固定することで、ボールベアリング２７と磁気シール機構３０の位置決め、固定を行い、これによりユニット化された釣糸案内装置２０Ａが構成される。なお、磁性流体３５については、上記したようにユニット化された状態で所定の位置に注入できるため、作業性が向上すると共に、品質安定性も向上する。
【００３４】
そして、上記したユニット化された釣糸案内装置２０Ａは、管状体２３Ａをラインスライダ１０Ａに突出形成される袋ナット部２３Ｂの外面に嵌合させた状態で、ベール支持部材９側からネジ２１を螺入することで、所定の位置に組み付けられる。
【００３５】
上記した釣糸案内装置２０Ａの構成によれば、磁気シール機構３０を有するラインローラ部分がユニット化されるため、ベール支持部材９及びラインスライダ１０Ａに対する組み付け作業性が良くなり、生産性の向上が図れる。また、ユニット化された状態で磁性流体３５を充填することができるため、磁性流体の充填作業が容易になると共に、品質も安定する。また、本実施形態では、フランジ４０ｃとラインローラ２５の端面との間にシール材４６を介在させているため、防水性、防塵性が向上すると共に、磁性カラー４０Ａとラインローラ２５との間で電食が生じ難くなる。
【００３６】
また、上記した構成においては、ラインローラ側に、磁性流体３５の溜まり部を形成しておくことが好ましい。本実施形態では、磁性カラー４０Ａの所定の位置、例えば、一対の保持部材３２ａ，３２ｂの中間位置に溝部５０を形成して磁性流体の溜まり部としている。
【００３７】
このような溝部（溜まり部）５０を形成しておくことで、ラインローラ２５に強い遠心力がかかって、磁気回路から磁性流体３５が外れかけても溝部５０内に留めることができ、磁性流体３５が流出する現象が低減される。この場合、ラインローラ２５の回転が緩やかになると遠心力が小さくなるため、磁性流体３５は、再び磁気回路による磁力によって溝部５０から所定の位置に戻ることができる。
【００３８】
なお、上記した溜まり部については、溝部以外にも、径方向外方に突出する突部として形成しても良いし、その形成位置については、外側の保持部材３２ａの外側に形成しても良い。また、上述した第１の実施形態の構成であれば、磁性部が、ラインローラ２５となっているため、ラインローラ２５の内面の所定位置に、図７に示すよな溝部５０や突部を形成して溜まり部としても良い。
【００３９】
以上、本発明の実施形態について説明したが、本発明は、上述した実施形態に限定されることはなく、種々変形して実施することが可能である。
【００４０】
例えば、上記した実施形態における磁気シール機構３０については、一対の保持部材３２ａ，３２ｂの肉厚、リング状の磁石３１の配設位置、大きさ等については適宜変形することが可能である。また、上述したように、磁気シール機構を構成する磁石の形状、及び保持部材の形状についても適宜変形することが可能である。さらに、上述した各図面に示した各構成部材については、適宜、組み合わせて実施することが可能である。
【符号の説明】
【００４１】
１  リール本体
２０，２０Ａ  釣糸案内装置
２３  支持部
２３Ａ  管状体
２５  ラインローラ
２７  ボールベアリング
３０  磁気シール機構
５０  溝部
Ｇ  隙間
【図１】
0005613426.tif 000002
【図２】
0005613426.tif 000003
【図３】
0005613426.tif 000004
【図４】
0005613426.tif 000005
【図５】
0005613426.tif 000006
【図６】
0005613426.tif 000007
【図７】
0005613426.tif 000008
【図８】
0005613426.tif 000009